(57)【要約】【課題】  特に、従来に比べて、下位階層に記憶されている項目に対する選択操作性を向上させた入力装置を提供することを目的とする。【解決手段】  制御部では、各情報を階層構造で記憶している。そして、制御部では、メインメニュー画面（階層１）よりも下位の階層２に記憶されたサブメニュー画面として表示される従来、個々独立していた各データベース（階層１から見た下位データベース）や、階層３に記憶されたコマンドメニュー画面として表示される従来、個々独立していた各データベース（階層２から見た下位データベース）を、夫々、一続きにしてスクロール表示可能に制御した（ステップＳ７やＳ８）。これにより、従来に比べて、下位階層に記憶されている項目に対する選択操作性を向上させることができる。【選択図】    図４
2010134805.tif 000002
【特許請求の範囲】
【請求項１】
上位階層に属する複数の情報からなる上位データベースと、前記上位データベースの各情報に対応した下位階層に属する各下位データベースとを記憶した制御部を備え、
前記制御部では、前記下位階層に属する各下位データベースを一続きにて表示部にスクロール表示可能としたことを特徴とする入力装置。
【請求項２】
複数の異なる分解能の信号を出力可能としたセンサ部を備えており、
前記制御部では、前記センサ部からの異なる分解能の各信号に基づいて、前記表示部に表示された前記上位データベースの各情報、及び、一続きに制御された前記下位データベースの各情報を順次選択可能に制御する請求項１記載の入力装置。
【請求項３】
前記センサ部は、相対移動方向に交互にＮ極とＳ極が着磁された着磁面を有する磁界発生部材と、前記着磁面から間隔を空けて配置され、前記外部磁界に対して電気特性が変化する磁気素子を備えた素子部と、を有する磁気センサであり、
同じ構成の前記素子部が複数設けられており、
前記磁界発生部は１個設けられ、前記着磁面に対する各素子部の相対移動領域が異なる磁極間ピッチで形成されている請求項２記載の入力装置。
【発明の詳細な説明】
【技術分野】
【０００１】
本発明は、携帯電話等に搭載される入力装置に関する。
【背景技術】
【０００２】
図１２（ａ）は、携帯電話の表示部に表示されたメインメニュー画面である。このメインメニュー画面は、階層１に属する複数の項目（情報）からなる上位データベースを表示しており、このメインメニュー画面に表示された項目の中からある項目を選択し決定すると（矢印Ａ）、図１２（ｂ）のように、階層１の下位に当たる階層２に記憶されたデータベースがサブメニュー画面として表示される。そして、このサブメニュー画面から項目を選択し決定すると、階層２の下位にあたる階層３に記憶されたデータベースがコマンドメニュー画面（図示しない）として表示される。
【０００３】
今、図１２（ｂ）のサブメニュー画面で、選択したい項目が見つからない場合、従来では、矢印Ｂに示すように、一旦、階層１のメインメニュー画面に戻って項目を選び直して（矢印Ｃ）、図１２（ｃ）に示すように、図１２（ｂ）とは異なる階層２のサブメニュー画面に表示を切り換えることが必要であった。
【特許文献１】特開２００２−１８５５９９号公報
【特許文献２】特開平９−２２９９５７号公報
【特許文献３】特開２００６−９０７８３号公報
【発明の開示】
【発明が解決しようとする課題】
【０００４】
上記のように、図１２（ｂ）のサブメニュー画面、及び図１２（ｃ）のサブメニュー画面は共に階層２に記憶された下位データベースを表示したものであるが、これらは、上位データベースの夫々、異なる項目に対応して記憶されている。
【０００５】
そして、上記のように、従来では、メインメニュー画面で項目を選択し決定して表示されたサブメニュー画面に選択したい項目が見当たらない場合は、もう一度、メインメニュー画面に戻って項目を選択し直すことが必要であり、操作性が悪かった。
【０００６】
特に、サブメニュー画面より下位の階層３として記憶されているデータベースを表示したコマンドメニュー画面にて必要な項目が見つからないと、サブメニュー画面（階層２）に戻るか、あるいは、メインメニュー画面（階層１）まで戻らないといけない場合もあり、項目が深い階層構造で記憶されているほど、必要とする項目を探し出せない事態も考えられる。
【０００７】
そこで本発明は、上記課題を解決するためになされたものであり、特に、従来に比べて、下位階層に記憶されている項目に対する選択操作性を向上させた入力装置を提供することを目的とする。
【課題を解決するための手段】
【０００８】
本発明における入力装置は、
上位階層に属する複数の情報からなる上位データベースと、前記上位データベースの各情報に対応した下位階層に属する各下位データベースとを記憶した制御部を備え、
前記制御部では、前記下位階層に属する各下位データベースを一続きにて表示部にスクロール表示可能としたことを特徴とするものである。
【０００９】
これにより、従来に比べて、下位階層に記憶されている項目に対する選択操作性を向上させることができる。
【００１０】
本発明では、複数の異なる分解能の信号を出力可能としたセンサ部を備えており、
前記制御部では、前記センサ部からの異なる分解能の各信号に基づいて、前記表示部に表示された前記上位データベースの各情報、及び、一続きに制御された前記下位データベースの各情報を順次選択可能に制御することが可能である。これにより、項目選択に対する制御の自由度を高めることができる。
【００１１】
上記において、前記センサ部は、相対移動方向に交互にＮ極とＳ極が着磁された着磁面を有する磁界発生部材と、前記着磁面から間隔を空けて配置され、前記外部磁界に対して電気特性が変化する磁気素子を備えた素子部と、を有する磁気センサであり、
同じ構成の前記素子部が複数設けられており、
前記磁界発生部は１個設けられ、前記着磁面に対する各素子部の相対移動領域が異なる磁極間ピッチで形成されている構成にできる。上記により簡単な構成で、複数の異なる分解能の信号を出力可能としたセンサ部を構成できるとともに、前記センサ部に対する製造コストを低減することが出来る。
【発明の効果】
【００１２】
本発明の入力装置によれば、従来に比べて、下位階層に記憶されている項目に対する選択操作性を向上させることができる。
【発明を実施するための最良の形態】
【００１３】
図１は、本実施形態の入力装置を内蔵した携帯電話の正面図、図２は、携帯電話のブロック図、図３は、画面表示の一例を示す模式図、図４は、画面表示された項目の選択操作に関する本実施形態と従来例とのフローチャート、である。
【００１４】
図１に示す携帯電話１は、ケース２に表示手段としての表示部（ディスプレイ）３や操作部４を有して構成される。
【００１５】
操作部４は例えば複数の押し釦で構成されており、前記押し釦を押圧すると、そのスイッチ信号が図２に示す携帯電話１に内蔵された入力装置５に送られる。
【００１６】
図２に示すように、スイッチ信号は入力インターフェース６を介して制御部７に送られる。制御部７では、前記スイッチ信号を受けて、現在のモードに対応した表示部３に表示される画面表示信号を生成する。画面表示信号は表示ドライバ８を介して表示部３に送られる。例えば、電話モードになっていれば、押圧した押し釦の数字が表示部に表示されるように制御したり、メールモードであれば、押圧した押し釦の文字が表示部に表示されるように制御する。なお、図２に示す全体を入力装置５としてもよいし、あるいは図２に示す入力装置５に操作部４を加えた構成を「入力装置」としてもよいし、入力装置の構成は制御部７を備えることを必須として任意に決定できる。
【００１７】
今、表示部３には、図３（ａ）に示す画面が表示されているとする。図３（ａ）に示すメインメニューの画面は、例えば図１に示す携帯電話１の操作釦４ａを押圧して、表示部３に表示された所定のアイコン（図示しない）を選択し決定することで得ることが出来る。
【００１８】
図３（ａ）に示すようにメインメニュー画面には８個の項目（情報）が縦に一覧表示されている。図３（ａ）に表示されたメインメニュー画面の８個の項目は、階層１に属するデータベース（上位データベース）の全てあるいは一部を表示したものである。この階層１に属するデータベースは制御部７に記憶されており、操作部４からのスイッチ信号を受けて、前記階層１に属するデータベースを引き出して表示部３に表示している。ここで「上位データベース」は２以上の項目（情報）を備えている。例えば、図３（ａ）のメインメニュー画面は８個の項目が表示された状態であるが、実際にはメインメニューの項目は８個以上あるとしたとき、画面に表示されない項目はスクロール表示等で表示可能である。
【００１９】
図３（ａ）では、メインメニュー画面の項目「１」が、選択表示されている。例えば項目「１」だけ他の項目より明るく表示される（図３（ａ）では、文字・記号の部分を白色抜き表示した）。この選択表示は、使用者が操作部４の所定の押し釦を押圧することで順次、一項目ずつ送っていくことができる。
【００２０】
図３（ｂ）には、使用者が図３（ａ）のメインメニューの項目「１」を選択し決定したときのサブメニュー画面の各項目（情報）が表示されている。図３（ｂ）のサブメニュー画面に表示された８個の項目は、例えば、メインメニュー画面から項目「１」を選択したときに、下位の階層２に属するデータベース（階層１に対する下位データベース）を表示したものである。
【００２１】
図３（ｃ）には、使用者が図３（ｂ）のサブメニュー画面の項目「８」を選択し決定したときのコマンドメニュー画面の各項目が表示されている。図３（ｃ）のコマンドメニュー画面に表示された８個の項目は、例えば、図２（ｂ）のサブメニュー画面から項目「８」を選択したときに、下位の階層３に属するデータベース（階層２に対する下位データベース）を表示したものである。
【００２２】
なお、図３（ｄ）に示すサブメニュー画面に表示された８個の項目は、例えば、図３（ａ）に示すメインメニュー画面の項目「２」を選択したときに、下位の階層２に属するデータベースを表示したものである。また、図３（ｅ）に示すサブメニュー画面に表示された８個の項目は、例えば、図３（ａ）に示すメインメニュー画面の項目「３」を選択したときに、下位の階層２に属するデータベースを表示したものである。このように、図３（ｂ）のサブメニュー画面、図３（ｄ）のサブメニュー画面、及び図３（ｅ）のサブメニュー画面は、いずれも階層２に属する各データベースが表示されたものである。
【００２３】
また、図３（ｆ）に示すコマンドメニュー画面に表示された８個の項目は、例えば、図３（ｄ）に示すサブメニュー画面の項目「１」を選択したときに、下位の階層３に属するデータベースを表示したものである。このように、図３（ｃ）のコマンドメニュー画面、及び、図３（ｆ）のコマンドメニュー画面は、いずれも階層３に属する各データベースが表示されたものである。
【００２４】
この実施形態では、メインメニュー画面の「１」から「８」の夫々の項目（情報）に対応したサブメニュー画面（階層２）として表示される各データベース（階層１から見た下位データベース）が制御部７に記憶されている。さらに、サブメニュー画面（階層２）の各項目（情報）に対応したコマンドメニュー画面（階層３）として表示される各データベース（階層２から見た下位データベース）が制御部７に記憶されている。図３（ｂ）から図３（ｆ）は、サブメニュー画面（階層２）及びコマンドメニュー画面（階層３）の各データベースの一部を示したものである。
【００２５】
以上のように制御部７では、各情報を振り分けて、階層構造で記憶している。ここで上記した実施形態では、階層１から階層３に振り分けられているが、階層１と階層２だけもよいし、階層３よりも下位の階層が存在してもよい。また、「上位階層」「下位階層」は、２つの階層を比較して示すことができる。すなわち、階層１と階層２との間では、階層１が「上位階層」、階層２が「下位階層」であり、階層２と階層３の間では、階層２が「上位階層」、階層３が「下位階層」である。
【００２６】
ところで、図４（ａ）（ｂ）に示すように従来でも本実施形態でも、メインメニュー画面（階層１）を引き出し（Ｓ１）、そのメインメニュー画面に選択したい項目（情報）が表示されているとき（Ｓ２）、その項目を選択・決定して、サブメニュー画面（階層２）を引き出す（Ｓ３）までの各ステップは同じである。
【００２７】
従来の構成では、図４（ａ）に示すように、サブメニュー画面（階層２）に選択したい項目がない場合（Ｓ４）、メインメニュー画面（階層１）に戻って（Ｓ１に戻る）、もう一度、メインメニュー画面に表示された項目を選択し直すことが必要である。特に、コマンドメニュー画面（階層３）を引き出し（Ｓ５）、そのコマンドメニュー画面に必要とする項目が見当たらない場合には（Ｓ６）、サブメニュー画面（階層２）に戻り（Ｓ３にまで戻る）、さらにメインメニュー画面（階層１）にまで戻らないといけない場合もある（Ｓ１にまで戻る）。このように必要とする項目の階層が深ければ、それだけ探し出すのも難しくなる。
【００２８】
これに対して、本実施形態では、サブメニュー画面（階層２）に必要とする項目がない場合（Ｓ４）、制御部７にて、図３（ｂ）（ｄ）（ｅ）に示す各サブメニュー画面のデータベース（階層１から見た下位データベース）を一続きにしてスクロール表示可能に制御した（Ｓ７）。例えば、図３（ｅ）に示すサブメニュー画面の項目「４」が必要であり、今、図３（ｂ）のサブメニュー画面が表示部３に表示されているとき、従来では、一回、メインメニュー画面に戻って、メインメニュー画面の項目「３」を選び直すことが必要であった。これに対し、本実施形態では、上位階層のメインメニュー画面に戻らなくても、図３（ｂ）のサブメニュー画面から、図３（ｄ）、図３（ｅ）と順次、スクロール表示できるようにしたので、従来に比べて項目の選択操作性を向上させることができる。このように本実施形態では、同じ下位階層に属している、従来では個々独立していた各下位データベースを一続きにてスクロール表示できるようにした。
【００２９】
図４（ｂ）に示すようにコマンドメニュー画面についてもスクロール表示が可能である（Ｓ８）。
【００３０】
例えば、使用者は予め設定モードで、下位階層に属する下位データベースのスクロール表示を設定できるようにし、スクロール表示設定すれば、図３（ｂ）→図３（ｄ）→図３（ｅ）・・といったスクロール表示モードを起動させることができる。当然、このスクロール表示モードを起動させない場合には、従来と同様の表示モードとなる。
【００３１】
またスクロール表示の仕方は特に限定しない。例えば、データベースを構成する各項目（情報）を画面送りの一単位にして、一項目ずつスクロールしていくように制御してもよいし、あるいは、図３（ｂ）、図３（ｄ）及び図３（ｅ）の各データベースを画面送りの一単位にして、各データベースずつスクロールしていくように制御することも出来る。
【００３２】
また下位階層に属する各下位データベースを全て一続きにしてスクロール表示しなくてもよく、下位階層に属する選択された、いくつかの下位データベースを一続きにしてスクロール表示できるように制御してもよい。
【００３３】
本実施形態における情報は、図３に示す文字・数字・記号等による「項目」に限定されず、それ以外のものであってもよい。絵や画像で表示されるものや、使用者が選択・決定以外に、所定の入力をできる状態のもの等であってもよい。また階層２の一部の情報に対応する階層３のデータベースが無くてもよい。例えば、図３（ｂ）の項目「７」を選択・決定しても、階層３のデータベースが無く、前記項目「７」を選択・決定することで、図４に示す「コマンド実行」がされる形態でもよい。
【００３４】
また上位データベースの各情報に対応する各「下位データベース」は、１以上の情報を備えていればよい。例えば、メインメニュー画面（階層１）から見て下位階層に当たるサブメニュー画面では、図３（ｂ）、図３（ｄ）、図（ｅ）のいずれも８個ずつ項目が表示されているが、例えば図３（ｂ）のサブメニュー画面では１個だけ情報が表示される形態もあり得る。
【００３５】
本実施形態は、特に、同じ下位階層に属する各下位データベースに保存された情報を合わせたときに、その情報数が、上位階層の上位データベースに保存された情報数よりも多くなるとき、前記各下位データベースを一続きにしてスクロール表示可能とすることで、効果的に、下位階層の情報に対する選択操作性を向上させることができる。
【００３６】
本実施形態では、複数の異なる分解能の信号を出力可能としたセンサ部を備えていることが好ましい。
【００３７】
例えば、前記センサ部は図５に示す磁気センサ（磁気エンコーダ）１０で構成される。磁気センサ１０は、磁石１１と素子部１２を有して構成される。
【００３８】
磁石１１は、例えば、リング状であり、その上面が着磁面１１ａである。図５に示すように周方向にＮ極、Ｓ極が交互に着磁されている。Ｎ極とＳ極との中心間距離（ピッチ）はλである。素子部１２は、前記着磁面１１ａから間隔を空けて対向している。
【００３９】
素子部１２は、第１素子部１２ａと第２素子部１２ｂを備えて構成される。第１素子部１２ａ及び第２素子部１２ｂは周方向の法線方向に並列されており、第１素子部１２ａが内周側に、第２素子部１２ｂが外周側に位置している。
【００４０】
第１素子部１２ａ及び第２素子部１２ｂには、外部磁界に対して電気特性が変化する磁気素子が備えられている。
【００４１】
例えば図１に示すダイヤル操作部４ｂに連動して磁石１１が回転するように支持されており、一方、素子部１２は固定されている。ダイヤル操作部４ｂを回転させると磁石１１が回転し、素子部１２に作用する外部磁界が変動することで、第１素子部１２ａ及び第２素子部１２ｂから図６のようなパルス波形の出力が得られる。
【００４２】
図６（ａ）は、第１素子部１２ａからのセンサ出力の波形図であり、図６（ｂ）は、第２素子部１２ｂからのセンサ出力の波形図である。図６（ａ）では、磁石１１が１ピッチ分、回転したときに、１つのパルス波形が得られ、一方、図６（ａ）では、磁石１１が１ピッチ分、回転したときに、２つのパルス波形が得られるように制御されている。
【００４３】
例えば、図６（ａ）に示す第１素子部１２ａからのセンサ出力に基づいて、メインメニュー画面（階層１）に表示された項目を順次選択できるように制御する。すなわち、今、表示部３に図３（ａ）に示すメインメニュー画面が表示されているとして、使用者がダイヤル操作部４ｂを回転させると、制御部７では、第１素子部１２ａからのセンサ出力を受けて、ダイヤル操作部４ｂを１ピッチ分、回転させる毎に、図３（ａ）の整列表示された各項目を、一項目ずつ順次、選択表示するように制御する。
【００４４】
また、図６（ｂ）に示す第２素子部１２ｂからのセンサ出力に基づいてサブメニュー画面（階層２）に表示された各項目を順次選択できるように制御する。すなわち、今、表示部３に図３（ｂ）に示すメサブメニュー画面が表示されているとして、使用者がダイヤル操作部４ｂを回転させると、制御部７では、第２素子部１２ｂからのセンサ出力を受けて、ダイヤル操作部４ｂを１／２ピッチ分、回転させる毎に、図３（ｂ）の整列表示された各項目を、一項目ずつ順次、選択表示するように制御する。
【００４５】
本実施形態では、サブメニュー画面の各データベースを一続きにて表示部３にスクロール表示できるが、一続きに制御されたサブメニュー画面の項目数（情報数）は、メインメニュー画面の項目数（情報数）よりも多い。このとき、一続きに制御されたサブメニュー画面（階層２）の項目選択に対する制御と、メインメニュー画面（階層１）の項目選択に対する制御とを、複数の異なる分解能の信号を出力可能な磁気センサ１０を用いることで、自由に調整することが出来る。これにより、項目数が多いサブメニュー画面の項目を早く送ることが出来る。
【００４６】
なお、一続きに制御されたサブメニュー画面（階層２）の項目選択に対する制御と、一続きに制御されたコマンドメニュー画面（階層３）の項目選択に対する制御とを、複数の異なる分解能の信号を出力可能な磁気センサ１０を用いて行うことも当然可能である。
【００４７】
また磁気センサ１０を用いた上記の項目選択に対する制御方法は一例であって他の制御を行うことも可能である。例えば、図６（ａ）の第１素子部１２ａからのセンサ出力に基づいてサブメニュー画面（階層２）の各項目を順次選択できるように制御し、図６（ｂ）の第２素子部１２ｂからのセンサ出力に基づいてメインメニュー画面（階層１）の各項目を順次選択できるように制御することも出来る。このとき、図６（ｂ）の第２素子部１２ｂからのセンサ出力が複数パルス分、出力されたときに、メインメニュー画面の各項目を順次選択送りするように制御することが出来る。
【００４８】
図７は、図５に示す第１素子部１２ａに設けられた磁気素子の配置と、磁石１１との関係を示す模式図、図８は、図５に示す第２素子部１２ｂに設けられた磁気素子の配置と、磁石１１との関係を示す模式図、図９は、Ａ相及びＢ相の回路図、図１０は、磁気素子の部分断面図、である。
【００４９】
図７に示すように第１素子部１２ａには複数の磁気素子がＸ方向及びＹ方向に間隔を空けて配列されている。各磁気素子Ａ１，Ａ２，Ｂ１，Ｂ２は四角形状で図示されているが、ミアンダ形状等で形成することが出来る。
【００５０】
図７に示すようにＸ方向にて隣り合う磁気素子の中心間距離は、λ／２（λはＮ極とＳ極の中心間距離である）である。図９に示すように２個の磁気素子Ａ１と２個の磁気素子Ａ２とがＡ相のブリッジ回路を構成している。また、図９に示すように、２個の磁気素子Ｂ１と２個の磁気素子Ｂ２とがＢ相のブリッジ回路を構成している。Ａ相を構成する磁気素子Ａ１と磁気素子Ａ２との中心間距離、及び、Ｂ相を構成する磁気素子Ｂ１と磁気素子Ｂ２との中心間距離は、夫々、λである。
【００５１】
図１０に示すように各磁気素子Ａ１，Ａ２，Ｂ１，Ｂ２は、全て同じ積層構造である。例えば、各磁気素子Ａ１，Ａ２，Ｂ１，Ｂ２は、下から反強磁性層２０、固定磁性層２１、非磁性材料層２２、フリー磁性層２３及び保護層２４の順で積層された積層体で形成されたＧＭＲ素子である。固定磁性層２１の固定磁化方向は例えばＸ方向である。
【００５２】
フリー磁性層２３の磁化は外部磁界により変動する。第１素子部１２ａがＸ方向へ相対移動すると、フリー磁性層２３に作用する外部磁界が変化することで、各磁気素子の電気抵抗値が変動する。図９に示すＡ相及びＢ相のブリッジ回路から夫々アナログ信号を取り出し、これらアナログ信号の加減算により目的とする位相の正弦波信号を生成し、これをデジタル化して図６（ａ）のパルス波形を得る。
【００５３】
また図８に示すように第２素子部１２ｂには複数の磁気素子がＸ方向及びＹ方向に間隔を空けて配列されている。第２素子部１２ｂは第１素子部１２ａと同じものであるが、図７、図８に示すように磁石１１の磁極間ピッチが異なっている。具体的には、図７での磁極間ピッチλの倍の２λが図８での磁極間ピッチλと同じ大きさとなっている。
【００５４】
よって、図８に示すように第２素子部１２ｂでのＸ方向にて隣り合う磁気素子の中心間距離は、λ／４となる。図９に示すように２個の磁気素子Ａ１と２個の磁気素子Ａ２とがＡ相のブリッジ回路を構成している。また、図９に示すように、２個の磁気素子Ｂ１と２個の磁気素子Ｂ２とがＢ相のブリッジ回路を構成している。そして、Ａ相を構成する磁気素子Ａ１と磁気素子Ａ２との中心間距離、及び、Ｂ相を構成する磁気素子Ｂ１と磁気素子Ｂ２との中心間距離は、夫々、λ／２となる。
【００５５】
図１０に示すように、第２素子部１２ｂに設けられる各磁気素子Ａ１，Ａ２，Ｂ１，Ｂ２は、全て同じ積層構造である。上記したように、固定磁性層２１の固定磁化方向は例えばＸ方向である。第２素子部１２ｂがＸ方向へ相対移動すると、フリー磁性層２３に作用する外部磁界が変化することで、各磁気素子の電気抵抗値が変動する。図９に示すＡ相及びＢ相のブリッジ回路から夫々アナログ信号を取り出し、これらアナログ信号の加減算により目的とする位相の正弦波信号を生成し、これをデジタル化して図６（ｂ）のパルス波形を得る。
【００５６】
図７、図８に示すように、第１素子部１２ａ及び第２素子部１２ｂには同じ構成のものを使用できる。同じ構成の素子部を用いても、リング状の磁石１１の着磁面１１ａでは、内側ほど磁極ピッチが狭くなるため、図７、図８に示す素子部１２ａ、１２ｂと磁石１１との位置関係を得ることができ、その結果、図６（ａ）（ｂ）に示す夫々異なる分解能の信号を得ることが可能である。
【００５７】
このように同じ構成の各素子部１２ａ，１２ｂを使用し、且つ磁石１１は１個で済むので、簡単な構成で、複数の異なる分解能の信号を出力可能とした磁気センサ１０を構成できるとともに、磁気センサ１０に対する製造コストを低減することが出来る。
【００５８】
なお、図５に示す素子部１２ａ，１２ｂを１個だけ用意し、前記素子部を周方向の法線方向に移動可能に支持して、複数の異なる分解能の信号を出力できるように制御してもよい。
【００５９】
また図１１（ａ）のように、プッシュスイッチにより上下方向に移動可能とした磁石３０と素子部３１との組み合わせにより磁気センサを構成することもできる。
【００６０】
磁石３０は、その側面が着磁面３０ａであり、着磁面３０ａでは、Ｎ極、Ｓ極が交互に着磁されている。図１１（ａ）のように、着磁面３０ａと間隔を空けて第１素子部３１ａが対向しており、プッシュスイッチを下方向に押して、磁石３０が下方向に移動すると、磁石３０と第２素子部３１ｂとが間隔を空けて対向した状態になる。
【００６１】
図１１に示す第１素子部３１ａと第２素子部３１ｂの素子配置、ブリッジ回路、及び磁気素子の積層構造は、図５の磁気センサと同じであるが、図１１の磁気スイッチでは図５と異なって、第１素子部３１ａ及び第２素子部３１ｂに対して着磁面３０ａの磁極間ピッチが同じである。このため、図１１（ｂ）のように、各素子部３１ａ，３１ｂから２つの異なる分解能の信号を得るには、磁極間ピッチが一定の磁石３０に対して、磁気素子の中心間距離が、第１素子部３１ａと第２素子部３１ｂとで異なるように調整することが必要である。具体的には第１素子部３１ａを構成する磁気素子の中心間距離をλ／２とし、第２素子部３１ｂを構成する磁気素子の中心間距離をλ／４とする。
【００６２】
また、磁気センサに使用される磁気素子はＧＭＲ素子に限定されるものでない。ＴＭＲ素子やホール素子等を提示できる。
【００６３】
また、携帯電話への適用は一例であって携帯電話以外の適用も可能である。デジタルカメラやカーナビゲーション等への適用を提示できる。
【図面の簡単な説明】
【００６４】
【図１】本実施形態の入力装置を内蔵した携帯電話の正面図、
【図２】携帯電話のブロック図、
【図３】画面表示の一例を示す模式図、
【図４】画面表示された項目の選択操作に関する本実施形態と従来例とのフローチャート、
【図５】第１実施形態の磁気センサの平面図、
【図６】磁気センサを構成する第１素子部及び第２素子部の夫々から出力される波形図、
【図７】図５に示す第１素子部に設けられた磁気素子の配置と、磁石との関係を示す模式図、
【図８】図５に示す第２素子部に設けられた磁気素子の配置と、磁石との関係を示す模式図、
【図９】Ａ相及びＢ相の回路図、
【図１０】磁気素子の部分断面図、
【図１１】第２実施形態の磁気センサの模式図と、各素子部から出力される波形図、
【図１２】従来の問題点を説明するための画面表示を示す模式図、
【符号の説明】
【００６５】
１  携帯電話
３  表示部
４  操作部
４ｂ  ダイヤル操作部
５  入力装置
７  制御部
１０  磁気センサ
１１、３０  磁石
１２、３１  素子部
【図１】
2010134805.tif 000003
【図２】
2010134805.tif 000004
【図３】
2010134805.tif 000005
【図４】
2010134805.tif 000006
【図５】
2010134805.tif 000007
【図６】
2010134805.tif 000008
【図７】
2010134805.tif 000009
【図８】
2010134805.tif 000010
【図９】
2010134805.tif 000011
【図１０】
2010134805.tif 000012
【図１１】
2010134805.tif 000013
【図１２】
2010134805.tif 000014